(57)【要約】【課題】マスクを使用する際に、耳にかけた紐が痛くならないようにする。【解決手段】本発明の実施の形態に係るマスク本体１は、マスクの両側に、空洞のある伸縮性を有する耳かけ紐２を設け、その空洞の中に柔らかく自由に形を形成できる芯材３を装着し、耳かけ紐２をマスク本体１の接合部４に接合する。柔らかく自由に形を形成できる芯材３を装着した、耳かけ紐２の中心を折り曲げ、さらに半分に折り曲げて、柔らかく自由に形を形成できる芯材３を装着した耳かけ紐２をＭの字に形成する。Ｍの字に形成された耳かけ紐２の両端を外側に曲げて立体的に形成することで、引っかけ部を設けることができ、耳かけ紐２を耳珠５にかけて使用することができる。また、Ｍの字に形成された耳かけ紐２の両端を外側に曲げて立体的に形成することで、メガネのフレーム６にかけて使用できることを特徴とする。【選択図】図２
2013141600.tif 000002
【特許請求の範囲】
【請求項１】
マスクの両側に、空洞のある伸縮性を有する耳かけ紐を設け、その空洞の中に柔かく自由に形を形成できる芯材を装着し、曲げて引っかける形を形成できることを特徴としたマスク。
【発明の詳細な説明】
【技術分野】
【０００１】  本発明は、鼻や口を覆うマスクに関し、粉塵の吸入を防止し、風邪の予防等に用いるマスクに関するものである。
【背景技術】
【０００２】  一般用のマスクは、鼻及び口を覆う本体がガーゼで出来ており、その両側にゴム紐などからなる伸縮性を有する耳かけ部が設けられた、ガーゼマスクといわれるものがある。また本体を不織布などで作成した、使い捨てタイプのマスクも多く市販されている。
【発明の開示】
【発明が解決しようとする課題】
【０００３】  ところが上記従来のマスクでは、使用者の耳にかけた部位にゴム紐が当たり、長時間使用する際に、耳にかけたゴム紐の箇所が痛くなるといった問題があった。本発明は上記欠点を解決しようとするものである。
【課題を解決するための手段】
【０００４】  本発明は、マスクの両側に、空洞のある伸縮性を有する耳かけ紐を設け、その空洞の中に柔らかく自由に形を形成できる芯材を装着し、曲げて引っかける形を形成することで、耳珠にかけたり、メガネのフレームにかけることができるようにした。【０００５】  また、マスクの両側に、伸縮性を有する耳かけ紐を設け、柔らかく自由に形を形成できる芯材を設けた布などを巻いて装着してもよい。
【発明の効果】
【０００６】  本発明によれば、マスクの両側に、空洞のある伸縮性を有する耳かけ紐を設け、その空洞の中に柔らかく自由に形を形成できる芯材を装着し、曲げて引っかける形を形成し、耳珠にかけることで長時間使用した際に耳への痛みが軽減される。あるいは耳が痛くなることがない。また、柔らかく自由に形を形成できる芯材を装着し、曲げて引っかける形を形成しメガネのフレームにかけることで耳が痛くなるなど耳への負担がなくなる。
【発明を実施するための最良の形態】
【０００７】  以下、図面を参照しつつ、本発明の実施形態について詳細に説明する。ここで、図１は本発明の実施の形態に係るマスク本体１と、空洞のある伸縮性を有する耳かけ紐２の空洞の中に、柔らかく自由に形を形成できる芯材３を設けた状態を示す正面図、図２は本発明の実施の形態に係る、空洞のある伸縮性を有する耳かけ紐２の空洞の中に、柔らかく自由に形を形成できる芯材３を設け、耳かけ紐２の中心を折り曲げ、さらに半分に折り曲げて、柔らかく自由に形を形成できる芯材３を装着した耳かけ紐２をＭの字に形成した状態を示す正面図、図３は本発明の実施の形態に係る、空洞のある伸縮性を有する耳かけ紐２の空洞の中に、柔らかく自由に形を形成できる芯材３を設けた状態を示す断面図、図４は本発明の実施の形態に係る、柔らかく自由に形を形成できる芯材を示す斜視図、図５は本発明の実施の形態に係る、空洞のある伸縮性を有する耳かけ紐２の空洞の中に、柔らかく自由に形を形成できる芯材３を設けた状態を示す斜視図、図６は本発明の実施の形態に係る、空洞のある伸縮性を有する耳かけ紐２の空洞の中に、柔らかく自由に形を形成できる芯材３を設け、上記図２により、柔らかく自由に形を形成できる芯材３を装着した耳かけ紐２を折り曲げて、Ｍの字に形成された耳かけ紐２の両端を外側に曲げ、立体的に形成した状態を示す斜視図、図７は本発明の実施の形態に係るマスクを耳珠にかけた状態を示す説明図、図８は本発明の実施の形態に係るマスクをメガネのフレーム６にかけた状態を示す説明図である。【０００８】  図１に示されているように、本発明の実施の形態に係るマスク本体１は、マスクの両側に、空洞のある伸縮性を有する耳かけ紐２を設け、その空洞の中に柔らかく自由に形を形成できる芯材３を装着し、耳かけ紐２をマスク本体１の接合部４に接合する。図２に示すように柔らかく自由に形を形成できる芯材３を装着した、耳かけ紐２の中心を折り曲げ、さらに半分に折り曲げて、柔らかく自由に形を形成できる芯材３を装着した耳かけ紐２をＭの字に形成する。図４に示されている柔らかく自由に形を形成できる芯材２は、アルミニウムやビニール線または、プラスチックフィルムで被覆した針金を縫いこんだもの、ポリプロピレンなどの柔らかい素材で作られている。【０００９】  本発明の空洞のある伸縮性を有する耳かけ紐２の空洞の中に、柔らかく自由に形を形成できる芯材３を設けることを特徴とするマスクを使用する際には、図６に示されるように上記図２により、柔らかく自由に形を形成できる芯材３を装着した、耳かけ紐２を折り曲げて、Ｍの字に形成された耳かけ紐２の両端を、外側に曲げ立体的に形成することで、引っかけ部を設けることができる。図７に示すように、上記図６により、柔らかく自由に形を形成できる芯材３を装着した耳かけ紐２を折り曲げ、Ｍの字に形成された耳かけ紐２の両端を外側に曲げ立体的に形成することで、引っかけ部を設けることができ、耳かけ紐２を耳珠５にかけて使用することができる。また、図８に示すように、上記図６により、柔らかく自由に形を形成できる芯材３を装着した耳かけ紐２を折り曲げて、Ｍの字に形成された耳かけ紐２の両端を外側に曲げ立体的に形成することで、引っかけ部を設けることができ、耳かけ紐２をメガネのフレーム６にかけて使用できるものである。
【産業上の利用可能性】
【００１０】  本発明に係るマスクは、工業的に量産することが可能であるため、産業上の利用可能性を有する。
【図面の簡単な説明】
【００１１】
【図１】本発明の実施の形態に係るマスクを示す正面図である。
【図２】本発明の実施の形態に係る、耳かけ紐の空洞の中に設けた芯材をＭの字に形成した状態を示す正面図である。
【図３】本発明の実施の形態に係る、耳かけ紐の空洞の中に芯材を設けた状態を示す断面図である。
【図４】本発明の実施の形態に係る、芯材を示す斜視図である。
【図５】本発明の実施の形態に係る、耳かけ紐の空洞の中に芯材を設けた状態を示す斜視図である。
【図６】本発明の実施の形態に係る、耳かけ紐を立体的に曲げた状態を示す斜視図である。
【図７】本発明の実施の形態に係るマスクを、耳珠にかけた状態を示す説明図である
【図８】本発明の実施の形態に係るマスクを、メガネのフレームにかけた状態を示す説明図である。
【符号の説明】
【００１２】１    マスク本体
２    空洞のある伸縮性を有する耳かけ紐
３    柔らかく自由に形を形成できる芯材
４    接合部
５    耳珠
６    メガネのフレーム
【図１】
2013141600.tif 000003
【図２】
2013141600.tif 000004
【図３】
2013141600.tif 000005
【図４】
2013141600.tif 000006
【図５】
2013141600.tif 000007
【図６】
2013141600.tif 000008
【図７】
2013141600.tif 000009
【図８】
2013141600.tif 000010